Podtech/llm-jp-corpus-v4-ja_patent huggingface dataset:
(57)【特許請求の範囲】
【請求項１】
車体に接着される薄肉部が形成され、上記車体から剥離する方向への引張り強度が小さい脆弱部が上記薄肉部の周囲に形成されたウェザストリップ。
【発明の詳細な説明】
【０００１】
【発明の属する技術分野】
本発明は、車両部品のリサイクルを容易とするためのウェザストリップに関する。
【０００２】
【従来の技術】
車両用ウェザストリップは、多くの場合クリップ等の取付け機構により車体へ取り付けられているが、防水機能、防音機能等のシール機能が要求される部位や、スペースの都合上クリップ等の取付け機構を使用することが困難な部位には、図５に例示されているように、両面粘着テープまたは接着剤１を用いてウェザストリップ２を直接車体３へ接着するようにしている。
この場合、車両の使用に支障が生じないように、両面粘着テープまたは接着剤１の接着力はウェザストリップ２の材料強度よりも大きいのが一般的である。
【０００３】
しかしながら、車両部品のリサイクルに際して車体３からウェザストリップ２を分離するときには、上記のようにウェザストリップ２の取付けに使用された両面粘着テープまたは接着剤１の接着力が大きくて、その接着部分で分離させることは困難であるため、従来はウェザストリップ２を適宜引きちぎらざるを得なかった。
【０００４】
従って、車体３からウェザストリップ２を分離するのに比較的長い時間を必要とし、また、ウェザストリップ２が適当な部分で引きちぎられても、ウェザストリップ２のうち車体３に接着された側のかなりの部分は回収できずに残されるので、その回収率は例えば７０％程度と低く、この回収率を上げることは実際上難しいという問題があった。
【０００５】
【発明が解決しようとする課題】
本発明の目的は、車体に固定されたウェザストリップを比較的簡単に分離できるようにし、かつ、上記ウェザストリップを車体から分離する回収率を容易に高めることにある。
【０００６】
【課題を解決するための手段】
このため、本発明にかかるウェザストリップは、車体に接着される薄肉部が形成され、上記車体から剥離する方向への引張り強度が小さい脆弱部が上記薄肉部の周囲に形成されている。
従って、リサイクルのため、車体に固定されたウェザストリップを車体から分離する場合には、ウェザストリップを車体から剥離する方向へ引っ張ることによりウェザストリップを脆弱部から容易に破断させて、ウェザストリップを簡単に回収することができ、また、ウェザストリップの脆弱部が車体に接着される薄肉部の周囲に形成されているので、ウェザストリップの回収率を確実に高めることが可能となる。
【０００７】
【発明の実施の形態】
以下、本発明の実施形態例について、前記従来装置との同等部分及び各実施形態例の同等部分にはそれぞれ同一符号を付けて説明する。
図１において、ウェザストリップ２はその薄肉部２´とほぼ全面的に接して脆弱部１０が形成され、薄肉部２´が両面粘着テープまたは接着剤１により車両ドア外周等の車体３に接着されている。
【０００８】
脆弱部１０は、図２（ａ）、（ｂ）に順次示されているように、ウェザストリップ２の成形時に薄肉部２´と接して薄く切り口１１を形成させておき、口金から出た直後にこの切り口１１が接して付着することにより、ウェザストリップ２を車体３から剥離する方向への引張り強度が比較的小さい層として形成され、あるいは、図３（ａ）、（ｂ）にそれぞれ例示されているように、薄肉部２´の両面粘着テープまたは接着剤１側に成形された切欠き１２により構成されている。
【０００９】
すなわち、車両におけるウェザストリップ２の使用時には、脆弱部１０は圧縮されることとなるので、この部分で破断することは全くないが、リサイクルのため車体３からウェザストリップ２を引き離そうとすると、図４に示されているように、ウェザストリップ２は引張り強度の小さい脆弱部１０から比較的容易に破断させることができるので、ウェザストリップ２の分離を短時間で行うことができると共に、脆弱部１０がウェザストリップ２の薄肉部２´に接して形成されているため、車体３からのウェザストリップ２の分離時に車体３側には薄肉部２´のみが残ることとなって、薄肉部２´以外であるウェザストリップ２の大部分が確実に分離されるため、ウェザストリップ２の回収率を例えば９５％以上に容易に高めることができる長所がある。
【００１０】
また、ウェザストリップ２に脆弱部１０を形成させることは比較的簡単であり、しかも、脆弱部１０がウェザストリップ２の薄肉部２´に接して形成されているため、脆弱部１０の形成が一層容易となって、脆弱部１０の形成によりウェザストリップ２のコストアップをとくに招くこともないので、実用的効果が非常に大きい。
【００１１】
なお、上記実施形態例においては、車体に対するウェザストリップの接着部とほぼ全面的に接してウェザストリップに脆弱部が形成されているが、この脆弱部は接着部から少し離すようにし、及びまたは、車体からのウェザストリップの分離特性を損なわない程度に接着部の周囲へ適宜断続的にウェザストリップの脆弱部を形成させるようにしても、それぞれそれなりに上記実施形態例に近い作用効果を奏することができ、その場合、ウェザストリップの脆弱部を接着部に近づけるほど、また、ウェザストリップの脆弱部を広い範囲に設けるほど、すぐれた作用効果を奏することができ、さらには、車体に対するウェザストリップの固定は接着以外の適宜の手法を採用することができるのはいうまでもない。
【００１２】
【発明の効果】
本発明にかかるウェザストリップにあっては、リサイクルのため車体に固定されたウェザストリップを車体から分離する場合に、車体から剥離する方向へウェザストリップを引っ張ることによりウェザストリップの大部分を迅速、かつ、容易に回収することができるので、非常に便利である。
【図面の簡単な説明】
【図１】本発明の実施形態例における断面図。
【図２】上記実施形態例の成形説明図。
【図３】上記実施形態例の要部断面拡大図。
【図４】上記実施形態例の作用説明図。
【図５】従来装置の断面図。
【符号の説明】
１    接着剤
２    ウェザストリップ
３    車体
１０  脆弱部
１１  切り口
１２  切欠き
【図１】
0003768362.tif 000002
【図２】
0003768362.tif 000003
【図３】
0003768362.tif 000004
【図４】
0003768362.tif 000005
【図５】
0003768362.tif 000006
(57)【特許請求の範囲】
【請求項１】
既存建物の壁付き柱における柱部分を被覆した補強板が、少なくとも一方の端部に沿って設けた長ナットに、壁を貫通してねじ込まれた通しボルトで接合されたことを特徴とする壁付き柱の耐震補強構造。
【請求項２】
補強板と柱との間には固結材が充填されたことを特徴とする請求項１に記載の壁付き柱の耐震補強構造。
【発明の詳細な説明】
【０００１】
【発明の属する技術分野】
本発明は壁付き柱の耐震補強構造に関するものである。
【０００２】
【従来の技術】
新耐震基準以前の建物における安全性を確保するには、地震による柱の脆性破壊、すなわちせん断破壊を防ぐことが必要である。この柱の耐震補強として、図５の（１）および（２）に示すように、既存建物の柱１５の全面に鋼板１６を巻き付け、該鋼板１６と柱１５との間に無収縮モルタル１７を充填する耐震補強が行われていた。
【０００３】
【発明が解決しようとする課題】
しかし、上記のように柱に鉄板を巻き付けるには、柱まわりの壁やサッシュを壊すため、日常の業務や生活を通常通り行うのが困難であった。また前記（１）の場合は、耐力壁の柱際のコンクリート１８が鋼板１６で分離して一体化しないという問題があった。さらに前記（２）の場合は、壁通しボルト１９が鋼板１６から大きく偏芯（Ｈ）しているため、前記ボルト１９周辺の鋼板１６が面外に変形しやすく、柱１５を効果的に拘束できなかった。
【０００４】
本発明はこれらの問題に鑑みてなされたものであり、その目的は、既存建物内において壁やサッシュを壊すことなく、柱を効果的に拘束することができる壁付き柱の耐震補強構造を提供することである。
【０００５】
【課題を解決するための手段】
以上の課題を解決するための手段は、請求項１の発明の壁付き柱の耐震補強構造が、少なくとも一方の端部に沿って設けた長ナットに、壁を貫通してねじ込まれた通しボルトで接合されたことを特徴とし、また請求項２の発明の壁付き柱の耐震補強構造が、補強板と柱との間には固結材が充填されたことを特徴とする。
【０００６】
一方の端部に設けたナットに壁を貫通した通しボルトがねじ込まれて補強板が接合されたことにより、柱が効果的に拘束されて、応力の伝達がスムーズに行われる。また既存建物内において壁やサッシュを壊さず、かつ日常の業務および生活を妨げることなく、柱を補強板で被覆することができる。
【０００７】
【発明の実施の形態】
以下、本発明の壁付き柱の耐震補強構造（以下、単に補強構造という）の実施の形態を図面に基づいて詳細に説明するが、各実施の形態において同じ構成は同じ符号を付して説明し、異なる構成にのみ異なった符号を付して説明する。
【０００８】
第１の実施の形態の補強構造１は、図１の（１）に示すように、桁行き方向の窓際における間仕切壁２を備えた柱３の補強であり、同図の（２）に示すように、柱３の全面が鋼板などの補強板５で覆われ、該補強板５と柱３との間には、図２の（１）に示すように、固結材としてのモルタル６が充填されている。この補強板５は、間仕切壁２側の端部同士が間仕切壁２を貫通した通しボルト７で接合されるとともに、外壁８側の端部同士が柱３を貫通した通しボルト９で接合されている。また間仕切壁２側の通しボルト７は補強板５の端部に沿って設けた長ナット１０に、一方の端部に沿って設けた鞘管１１、１２を介してにねじ込まれている。すなわち通しボルト７が補強板５の端部に沿った状態で取り付けられているため、これらの端部同士が連続して接続した状態になっており、柱３の全面に補強板５を巻き付けたと同じ状態になっている。このように柱３は補強板５で効果的に拘束されているため、応力の伝達がスムーズに行われる。また長ナット１０および鞘管１１は、図２の（３）に示すように、ナットの六角形を開先に利用して補強板５に溶接されている。
【０００９】
図３は、図１の（１）における角部の柱１３の補強構造１を示したものであり、補強板５の一方の端部が、長ナット１０に外壁８を貫通してねじ込まれた通しボルト７で接合されているとともに、外壁８側の端部同士が柱１３を貫通した通しボルト９で接合されて、柱１３の全面に補強板５が巻き付けられたと同じ状態になっており、柱１３が効果的に拘束されている。
【００１０】
図４は、第２の実施の形態の補強構造１４を示したものである。この補強構造１４は補強板５の両端部に長ナット１０を設け、これに外壁８を貫通した通しボルト７をねじ込むことにより、柱３の全面に補強板５を巻き付けた状態と同じになっている。したがって、これも前記と同様に柱３を効果的に拘束することにより、応力の伝達がスムーズに行われる。
【００１１】
【発明の効果】
壁を貫通した通しボルトが補強板から偏芯した状態でなく、補強板の端部に沿って取り付けられて、これらの端部同士が連続して接続した状態になっているため、柱を効果的に拘束することができ、応力の伝達がスムーズに行われる。
【００１２】
既存建物内において壁やサッシュを壊すことなく、かつ日常の業務および生活を妨げることなく、柱を補強板で被覆することができる。
【図面の簡単な説明】
【図１】（１）は柱の配置を示す概略図、（２）は補強構造の側面図である。
【図２】（１）は第１の実施の形態の補強構造の水平方向の断面図、（２）は長ナットの一部省略断面図、（３）は長ナットの断面図、（４）は補強構造の一部省略側面図、（５）は補強構造の縦断面図である。
【図３】（１）および（２）は第１の実施の形態の他の柱の補強構造の断面図である。
【図４】（１）および（２）は第２の実施の形態の補強構造の断面図である。
【図５】従来の補強構造の断面図である。
【符号の説明】
１、１４  補強構造
２  間仕切壁
３、１３、１５  柱
５  補強板
６、１７  モルタル
７、９  通しボルト
８  外壁
１０  長ナット
１１、１２  鞘管
１６  鋼板
【図１】
0003768412.tif 000002
【図２】
0003768412.tif 000003
【図３】
0003768412.tif 000004
【図４】
0003768412.tif 000005
【図５】
0003768412.tif 000006
(57)【特許請求の範囲】
【請求項１】
可撓性を有する容器の中に、破割性アンプルを収容し、同アンプル内及びアンプルの外側で容器内に、混合時に化学発光を呈する2種類の薬液をそれぞれ充填した化学発光体の全体を発泡倍率３〜５０%とした光透過性の独立発泡ポリエチレンにて取り囲んだことを特徴とした化学発光具。
【請求項２】
独立発泡ポリエチレンの形状を棒状とし、その中に化学発光体を１本又は２本以上収容した請求項１記載の化学発光具。
【請求項３】
独立発泡ポリエチレン内に収容した化学発光体の発光色を異なる色にした請求項２記載の化学発光具。
【請求項４】
独立発泡ポリエチレンの表面に、印刷又はシール等を貼着して、文字、模様を表現した請求項１、３記載の化学発光具。
【発明の詳細な説明】
【０００１】
【発明が属する技術分野】
この発明は玩具用、非常灯、釣具等広く利用できる。そして本発明のものは発光面を大きくすることができ、且つ柔軟性を有し、人に怪我をさせない化学発光具に関するものである。
【０００２】
【従来の技術】
従来のイベント等に使用されている化学発光体はポリエチレン、ポリプロピレン等の容器の中にガラスアンプルを収容し、容器内及びアンプル内に、それぞれ混合時に化学発光を呈する液体を溶封した構造である。このような発光体を投げたり、叩いたりすると人に怪我をさせることもあり、時には中の発光液が漏れ出る事故も発生していた。また、容器の肉厚が０．５ｍｍ〜１．５ｍｍである為外気の温度に左右され易い。例えば気温０℃の場所での使用では、短時間に発光輝度が低下してしまう欠点を有していた。さらに商品流通時、衝撃等により中のアンプルが割れることもあった。
【０００３】
【発明が解決しようとする課題】
上記に述べたような従来の問題点を解決すると共に、発光体を大きく見せることができ且つそれ自体浮力を有するものを提供するものである。
【０００４】
【課題を解決するための手段】
独立発泡プラスチックには、スチレン系、ウレタン系、塩化ビニール系、ポリエチレンに酢酸ビニールを添加したもの、オレフィン系等種々のものがある。この中でポリエチレンを素材としたものは化学発光液に化学的に安定であり、柔軟性に富み、人体に安全であり、廃棄時の有害性が少ない等の種々の利点を有している。発泡倍率は３〜５０％のあいだで選択するものであるが、２０〜３０％ぐらいが最適である。光透過性は発泡倍率が大きくなると向上するが小さくなると低下する。化学発光体を取り囲む、発泡プラスチックの厚みは発泡倍率に関係するが、倍率２０〜３０％では発光体の直径と同じくらいのものまでが使用できる。これより厚くなると光の透過が低下してくる。
【０００５】
【実施例１】
内径φ１１ｍｍ、外径φ２５ｍｍの発泡ポリエチレンパイプを発泡倍率３０％にて成形し、長さ２８０ｍｍにてカットする。内径φ１１ｍｍの穴に、外径φ１１．５ｍｍ、全長２５０ｍｍの化学発光体を中央まで挿入する。発泡ポリエチレンパイプの両端の穴にφ１２ｍｍの同一素材よりなる棒状の栓を挿入する。これで製品として完成しているが、商品価値を上げるため両端面を丸く加工する。ドーム状にくぼんだ加熱具に両端面を押し付けることにより丸みのある形状に成形できる。また、栓を挿入する時、穴に接着剤を塗布しておけば栓がぬけるのを防止できる。使用時は発泡プラスチック本体を曲げると中の化学発光体も曲がり、その中のアンプルが破割し、アンプル内の液とアンプルの外側の液が混合して化学発光がスタートする。発光した光は、発泡プラスチック内を乱反射しながら、外側に放出され、発泡プラスチック全面より光がほぼ均一に放出される。本実施例では、両端を丸みのある加工を行ったが、必ずしも限定するものではないし、又パイプ状のものに挿入したものに限定されず、平状プラスチックの中に発光体をサンドイッチした構造や平板状発泡材の層内に収容した複数の発光体の発光色を異なる色としたり、表面に装飾を付けることも本発明に属する。特に素材をポリエチレンにすれば、幼児が触れたり、なめたりする事があっても安全であり。又万一中の発光体の容器がやぶれて液が出ても、独立発泡構造である為、薬液が外に漏れ出る事もない。
【０００６】
【発明の効果】
発光体の発光面積を大きくでき且つ軽くできる。従来の棒状発光体の直径はφ２０ｍｍぐらいが限度であった。それは化学発光液量、重量、価格の制限からである。本発明では、発光体の約３倍の直径で光らせることが可能となった。外気温の変化で発光性能が直ちに変化することがない。独立発泡プラスチックは保温性に優れている為、外気の温度を内部に伝え難く、例えば寒冷地で発光体が冷えてしまって短時間に消光することもない。独立発泡プラスチックは表面がやわらかいので、叩いたり、ぶつけたりして人に怪我をさせたり、物を傷つけたりすることがなくなる。又特にポリエチレンを使用すれば、環境上有効である。独立発泡プラスチックは緩衝材としての役目も有する為、流通時落下等の不注意による発光を防止することができる。また防湿性と保温性も有しているから、簡易な包装でも保管条件の悪さによる劣化を抑制できる。独立発泡プラスチックを使用することにより浮力が向上し、海上での非常灯としての使用に効果がある。
【０００７】
【図面の簡単な説明】
【図１】本発明の実施例１の断面説明図である。
【符号の説明】
１、化学発光体
２、破割性アンプル
３、化学発光を呈する一方の薬液
４、化学発光を呈する他方の薬液
５、独立発泡プラスチック
【図１】
0003768886.tif 000002
(57)【特許請求の範囲】
【請求項１】
哺乳動物の毛髪成長の減少が望まれる皮膚の領域に適用して該領域の毛髪成長を減少させるための化粧用組成物であって、５−リポキシゲナーゼの抑制剤（ただしケルセチンを除く）を含み、前記抑制剤が、ｄｌ−α−トコフェロール、アピゲニン、没食子酸プロピル、ノンジヒドログアヤネット酸、またはコーヒー酸であることを特徴とする組成物。
【請求項２】
前記抑制剤の量が１％〜３０％（重量）の間である、請求の範囲第１に記載の組成物。
【請求項３】
該抑制剤の量が、皮膚１平方センチメートル当たり前記抑制剤の１００〜３０００マイクログラムの量で皮膚につけるのに十分である、請求の範囲第１または２項に記載の組成物。
【請求項４】
毒性のない皮膚科学的に許容可能な賦形剤または担体を含む、請求の範囲第１または２項に記載の組成物。
【請求項５】
哺乳動物の毛髪成長を抑制する組成物の製造法であって、５−リポキシゲナーゼの抑制剤を選択し、前記抑制剤を毛髪成長を減少させるのに有効な量で、毒性のない皮膚科学的に許容可能な賦形剤または担体と組み合わせることを特徴とし、前記抑制剤が、ｄｌ−α−トコフェロール、アピゲニン、没食子酸プロピル、ノンジヒドログアヤネット酸、またはコーヒー酸である、方法。
【請求項６】
前記賦形剤または担体が、哺乳動物の皮膚に塗布するのに適合している、請求の範囲第５項に記載の方法。
【発明の詳細な説明】
本発明は、毛髪成長の抑制に関する。
傷害または他の刺激に応答して、アラキドン酸が膜脂質から放出される。酵素５−リポキシゲナーゼにより、アラキドン酸が５−ヒドロペルオキシエイコサ−６，８，１１，１４−テトラエン酸に転換され、これは続いて、ロイコトリエンとして知られる化合物の群に転換される。ロイコトリエンの正確な生物学的役割は、未だ決定されていない。
（ヒトを含む）哺乳動物の毛髪成長は、５−リポキシゲナーゼの抑制剤を適用面積での毛髪成長を減少させるのに有効な量で含む組成物を皮膚につけることによって抑制することを今や見出した。
毛髪成長を減少させるのに有効であることを見出した５−リポキシゲナーゼ抑制剤の例としては、ケルセチン（３，３′，４′，５，７−ペンタヒドロキシフラボン）、ｄｌ−α−トコフェロール、アピゲニン（４′，５，７−トリヒドロキシフラボン）、没食子酸プロピル、ＮＤＧＡ（ノンジヒドログアヤネット酸（nondihydroguaianetic acid））、およびコーヒー酸（３，４−ジヒドロキシ桂皮酸）が挙げられる。これらの化合物の総ては、当該技術分野で知られており、市販されている。５−リポキシゲナーゼの他の抑制剤は、当該技術分野で知られており、例えば、Laughtonら、42, Biochemical Pharmacology, 1673(1991)を参照されたい。
組成物は、好ましくは皮膚に塗布するのに適した毒性のない皮膚科学的に許容可能な賦形剤または担体を含む。好適な賦形剤の例は、アセトン、アルコール、またはクリーム、ローション、または活性化合物を効果的に放出送達することができるゲルである。また、浸透促進剤を賦形剤に加えて、製剤の有効性を更に高めることもできる。
組成物中の抑制剤の濃度は、飽和溶液までの、好ましくは１〜３０重量％またはそれ以上の広範囲に亙って変化させることができ、適用される抑制剤の量が皮膚の単位面積当たりで増加するに従って、毛髪成長の減少は強くなる。効果的に適用される最大量は、抑制剤が皮膚に浸透する速度によってだけ限定される。一般的には、有効量は、皮膚１平方センチメートル当たり１００〜３０００マイクログラムまたはそれより大きい範囲である。
組成物は、毛髪の成長を抑制することが所望な身体の部位につけるべきである。典型的には、組成物は顔、特に顔の鬚の部位、すなわち頬、首、上唇および顎につけることができる。組成物は、脚、腕、胴体または腋下に適用することもできる。組成物は、多毛症の治療に特に好適である。ヒトでは、組成物は１日１回または２回以上、少なくとも３か月間、適用して毛髪成長の減少が感知されるようにすべきである。
毛髪の除去の頻度が減少するかまたは被験者が治療部位に毛髪が少ないと感じるときに、または定量的には、剃毛によって除かれる毛髪の重量（すなわち、毛髪の質量）が減少するときに、毛髪成長の減少が示される。雄の未処置のGolden Syrianハムスターは、各側部に１個ずつの卵形の側腹部器官がそれぞれ大直径が約８ｍｍのものを示し、これはヒトの鬚毛と類似した太く黒色をした粗い毛髪が成長する。これらの器官は、ハムスターでのアンドロゲンに応答して毛髪が生じる。
特定の抑制剤の有効性を評価するため、ハムスターの一群のそれぞれの側腹部器官にチオグリコレートを基剤とする化学脱毛薬(Surgex)を適用することによって脱毛する。それぞれの動物の一方の器官には、賦形剤１０〜２５μｌだけを１日１回適用し、それぞれの動物の他方の器官には、５−リポキシゲナーゼ抑制剤を含む賦形剤を等量適用する。１３回適用（１日１回、１週間に５日間適用）した後、側腹部器官を剃毛し、それぞれから回収した毛髪の量（毛髪質量）を秤量する。毛髪成長の減少率を、賦形剤で処理した側の毛髪質量の値から試験化合物で処理した側の毛髪質量（ｍｇ）値を差し引くことによって計算し、次に、得られたデルタ値を賦形剤で処理した側の毛髪質量の値で割り、得られる数に１００を掛ける。
好ましい５−リポキシゲナーゼ抑制剤を、前記の操作法に従って試験したが、結果を表１に示す。賦形剤Ａはアセトンであり、賦形剤Ｂは３５％ジプロピレングリコール、３０％エタノール、２５％アセトンおよび１０％ベンジルアルコールであり、賦形剤Ｃは６８％精製水、１６％エタノール（２００プルーフ）、５％プロピレングリコール、５％ジプロピレングリコール、４％ベンジルアルコールおよび２％プロピレンカーボネートであり、賦形剤Ｄは８０％エタノール（１９０プルーフ）、１７．５％精製水、２％プロピレングリコールジぺラルゴネート（dipelargonate）および０．５％プロピレングリコールであり、賦形剤Ｅは乳化剤、界面活性剤および保存剤などの通常の化粧品成分を含む保湿ローションである。
0003768233.tif 000002
当業者であれば、本発明は、発明またはその態様の精神および範囲から離反することなく、組成および条件の同等なパラメートルの広汎な範囲内で実施することができることを理解するものである。
(57)【特許請求の範囲】
【請求項１】
センサチップ表面の全域を覆うようにフレキシブル配線基板を配置し、フレキシブル配線基板とチップの電極部位を相互に半田接合し、かつこのフレキシブル配線基板のチップ領域を全面的に覆う裏面をセンサハウジングの測定部位に対して接着剤を介して接着することを特徴とするセンサ構造。
【発明の詳細な説明】
【０００１】
【発明の属する技術分野】
本発明はとくに磁気センサなどの信号取出部位を改良したセンサ構造に関する。
【０００２】
【従来の技術】
磁気センサなどの信号取出構造として、従来、図２あるいは図３に示すようなものが知られている。
【０００３】
図２の場合、マウント基板３の中空部４の上面には薄い台座５が配置され、この台座５の上にはバイアス磁界をかける磁石６が設けられる。中空部４には、台座５に接合する台座７を介して磁気センサのチップ８が配置され、このチップ８とマウント基板３の電極間は多数のワイヤ９を介して接続される。この場合、ワイヤ９はチップ８の電極に熔融接合した微小な半田ボールとマウント基板３のパッドとを結んで半田接合される。１０はリード線である。
【０００４】
そして、センサハウジング１の測定部位に対して、その内側からチップ８との間に微小（例えば０．１ｍｍ）の間隔を保持するようにスペーサ２を介して取付けられる。このスペーサ２の寸法は様々な誤差を吸収するために個々に異なった寸法のものを取り付けている。
【０００５】
また、図３の場合は、上面に磁石６を取り付けたチップ８の電極には半田コーティングを行い、ここにフレキシブル配線基板１３の一端の電極を半田接合により接続する。そして、センサハウジング１の測定部位に位置してチップ８を両面テープ（あるいは絶縁シート）１２を介して接着する。両面テープ１２はセンサチップ８とセンサハウジング１との間の微小間隔を維持する機能も併有する。
【０００６】
【発明が解決しようとする課題】
しかしながら、図２の信号取出構造にあっては、チップ８の数多くの電極に微小な半田バンプを取り付け、微小溶接機によってワイヤ９を１本づつ半田接合して結線するため、作業が非常に繁雑で手間のかかるものとなり、またチップ８をセンサハウジング１に取付ける際に、ワイヤ接合部などがセンサハウジング１に電気的に接触しないように、かつできるだけ狭い間隔で取付けられるようにする必要から、１個づつの高さを計測し、これに適した厚さのスペーサ２を用いて取付を行わねばならず、作業工数が多く、生産コストが高くなるという問題があった。
【０００７】
また図３の信号取出構造では、フレキシブル配線基板１３とチップ８との位置合わせが難しく、またフレキシブル配線基板１３は接合部付近で折り曲げられるが、この際の接合強度の信頼性が低下するという問題がある。また、両面テープ１２の接着強度が比較的小さく、長期の使用に伴いチップ８がずれるなどの問題も生じた。
【０００８】
本発明はこのような問題を解決するために提案されたもので、チップに対する電極接合の繁雑さを解消し、かつセンサハウジングに対する電気的な絶縁性が高く、電極接合強度も十分に確保される信頼性の高いセンサ構造を提供することを目的とする。
【０００９】
【課題を解決するための手段】
本発明は、センサチップ表面の全域を覆うようにフレキシブル配線基板を配置し、フレキシブル配線基板とチップの電極部位を相互に半田接合し、かつこのフレキシブル配線基板のチップ領域を全面的に覆う裏面をセンサハウジングの測定部位に対して接着剤を介して接着する。
【００１０】
【発明の作用・効果】
チップとフレキシブル配線基板とはすべての電極部位が１回の位置合わせにより、位置決めされ、半田接合されるので、両者の電極接合工数が大幅に削減されると共に作業性が改善される。また、チップの表面のすべての領域を覆うフレキシブル配線基板をセンサハウジングに直接的に接着しているため、フレキシブル配線基板の信号取出部を折り曲げたとしても、電極接合部はチップとセンサハウジングとの間に完全に挟持されているため、その接合強度が低下することがなく、高い耐久性を発揮し、しかもチップに対する電気的絶縁性も良好に維持でき、これらが相俟って十分なセンサ信頼性が確保される。
【００１１】
【発明の実施の形態】
図１に示すように、磁石６を一面に取付けたチップ８は、チップ８のセンサパターンを配置した表側の全面を覆うように配置したフレキシブル配線基板１３と、半田接合される。
【００１２】
この場合、フレキシブル配線基板１３のチップ８の搭載面にチップ８の電極部位８Ａに合わせて設けた電極パッドに、チップ８の電極を半田接合し、チップ８を固定する。なお、半田接合方法としては、チップ８に半田バンプを設けたり、フレキシブル配線基板の電極パッドに半田をメッキしたりしておき、接合時には微小ごてにより熱圧着する、あるいは恒温槽内で熔融させる方法等ある。
【００１３】
そして、フレキシブル配線基板１３のチップ８の表側を全面的に覆う部分１３Ａが、センサハウジング１の測定部位の内側に接着剤を介して接着され、これによりフレキシブル配線基板１３の厚さがスペーサとして機能し、チップ８とセンサハウジング１との絶縁性をも確保する。
【００１４】
このようにして、フレキシブル配線基板１３のチップ８の取出電極に相当する部位に設けたパッドに半田でチップ８を表向きにして接合する構造としたため、１回の位置合わせにより、すべての電極の接合位置が決まり、数多くのワイヤハンドリングや位置合わせが不要となり、製造工数が大幅に削減される。
【００１５】
また、チップ８の表面のすべての領域をフレキシブル配線基板１３により覆い、かつこの部分のフレキシブル配線基板１３をスペーサとしつつ、センサハウジング１に直接的に接着しているため、フレキシブル配線基板１３の信号取出部を折り曲げても、電極接合部はチップ８とセンサハウジング１との間に完全に挟み込まれているため、その接合強度が低下することがなく、またわざわざスペーサを配置しなくてもチップ８とセンサハウジング１との間の電気的絶縁性も確実に保持される。
【００１６】
フレキシブル配線基板１３はセンサハウジング１の測定部位に、少なくともチップ８の表面積に相当する領域にわたり、接着剤により強固に接着されているので、長期間の使用についても、位置ずれを起こすことなく、高い取付耐久性を維持する。
【図面の簡単な説明】
【図１】本発明の実施形態を概略的に示す拡大断面図である。
【図２】従来例の断面図である。
【図３】他の従来例の断面図である。
【符号の説明】
１  センサハウジング
６  磁石
８  チップ
１３  フレキシブル配線基板
【図１】
0003768611.tif 000002
【図２】
0003768611.tif 000003
【図３】
0003768611.tif 000004
(57)【特許請求の範囲】
【請求項１】
本体部と本体部より前方に延びる握り部とからなる操作ハンドルを左右に操作することより吐水温度を調整できる水栓ハンドル装置において、
操作ハンドルの操作方向を表示する視覚表示部と、握り部の先端下面に操作ハンドルの操作方向を表示する触覚表示部とを設けたことを特徴とする水栓ハンドル装置。
【請求項２】
触覚表示部を、操作ハンドルの左右中心線に対して右側部分又は左側部分の一方に凹陥する窪み又は突起部を有する形状とさせる一方、他方の部分には、形状又は個数の異なった凹陥する窪み又は突起部を有する形状または平坦面とされていることを特徴とする請求項１記載の水栓ハンドル装置。
【発明の詳細な説明】
【０００１】
【発明の属する技術分野】
本発明は水栓ハンドル装置に関する。
【０００２】
【従来の技術】
従来、特開平９−７９４１９号に見られるものを詳述すると、以下の通りである。水栓ハンドルと該ハンドルの操作方向を表示する表示部とを有し、該水栓ハンドルは平面形状が左右非対称形状をなしていて、左右中心線に対して右側部分又は左側部分の一方の側面形状が左右方向中心部に向かって凹陥する窪み部を有する凹凸面形状とされる一方、他方の部分の側面及び上面形状が平坦且つストレート形とされていることを特徴としている。
【０００３】
又、水栓ハンドルと該ハンドルの操作方向を表示する表示部とを有し、該水栓ハンドルは平面形状が左右非対称形状をなしていて、左右中心線に対して右側部分又は左側部分の一方の上面形状が単数もしくは複数の突起を有する凹凸面形状とされる一方、他方の部分の側面及び上面形状が平坦且つストレート面形状とされていることを特徴としている。
【０００４】
【発明が解決しようとする課題】
従来の水栓ハンドルでは、片側の部分の側面及び上面形状が平坦且つストレート面形状とされていることを特徴としているため、汚れ及び埃などが落下しやすい側面及び上面が複雑な面構成となり、清掃性を悪くしている。本発明は、上記課題を解決するためになされたもので、本発明の目的は、触覚表示部を凹陥する窪み又は突起部で構成し、汚れ及び埃などが落下し難い操作ハンドル下面に面したことによって、清掃性を向上させ且つ視覚だけでなく、触覚でのハンドルの操作方向を把握できるようにすることにある。
【０００５】
【課題を解決するための手段】
上記目的を達成するために請求項１は、本体部と本体部より前方に延びる握り部とからなる操作ハンドルを左右に操作することより吐水温度を調整できる水栓ハンドル装置において、操作ハンドルの操作方向を表示する視覚表示部と、握り部の先端下面に操作ハンドルの操作方向を表示する触覚表示部とを設けたことを特徴とし、汚れ及び埃などが落下し難い操作ハンドル下面に面したことによって、清掃性を向上させ且つ視覚だけでなく、触覚でもハンドルの操作方向を把握できるものである。
【０００６】
請求項２は触覚表示部を、操作ハンドルの左右中心線に対して右側部分または左側部分の一方に凹陥する窪み又は突起部を有する形状又は平坦面とされていることを特徴とし、凹陥する窪み又は突起部を汚れ及び埃などが落下し難い操作ハンドル下面に面したことによって、清掃性を向上させ且つ視覚だけでなく、触覚でもハンドルの操作方向を把握できるものである。
【０００７】
【発明の実施の形態】
本発明の第一実施例を図１、図２に示す。図１はシングルレバー式湯水混合水栓１の水栓ハンドル装置２と吐水部３とを洗面器４の上面に設置した状態を示す斜視図である。図２は、操作ハンドルの下面の斜視図である。水栓ハンドル装置２は洗面器４の上面に設置され、湯水の混合温度を調整するとともに弁を開閉する操作ハンドル５と、視覚表示部８とからなる。操作ハンドル５は本体部６と本体部６より前方に延びる握り部７からなり、本体部６の上面には操作方向を視覚によりわかる視覚表示部８が設けられている。
【０００８】
視覚表示部８は水側を表わす水色の水用視覚表示部９と湯側を表わす赤色の湯用視覚表示部１０とからなり、操作ハンドル５を右側に回すと水となり、左側に回すと湯になり、右の限度と左の限度の間で吐水する湯の温度を調整できる。また、操作ハンドル５を上に上げると吐水し、下に下げると止水し、上限と下限の間で吐水量が調整できる。
【０００９】
操作ハンドル５の握り部７の下面には操作ハンドル５の操作方向を触覚によりわかる触覚表示部１５が設けられている。触覚表示部１５は水側を表わす水用触覚表示部１６と湯側を表わす湯用触覚表示部１７とから構成されている。
【００１０】
操作ハンドル５は平面視左右対称で、握り部７の下面の左右中心線Ｐの右側部分１１には円筒状の突起１２を等間隔で３つ設けることにより水用触覚表示部１６を構成する。握り部７の下面の中心線Ｐの左側部分１３には円筒状の突起１４を一つ設けることにより、湯用触覚表示部１７を構成する。左右中心線Ｐを中心に右側部分１１と左側部分１３に突起の数により異ならせているため、触覚のみで操作を行った場合においてもハンドル操作の基点となる中心部の位置が容易に把握できるため、希望する湯の温度調整が容易になる。触覚表示部１５は操作ハンドル５の握り部７の前部に設けた方が、操作ハンドル５を握った場合にわかりやすい。
【００１１】
以上の実施例では、触覚用表示部を突起により構成したが、凹部でもよく、形状も円筒に限らず任意の形状にしてよい。また右側部分と左側部分の相違を突起や凹部の数だけでなく、大きさ、形状、一方を凹部と他方を凸部などの相違により異ならせてもよい。また、右側部分と左側部分のどちらか一方にのみ凸部や凹部などを設け、他方は平坦面としてよい。また、視覚表示部は水栓本体に限らず使用者が上面から確認できる、操作ハンドル手前でもよい。
【００１２】
本発明は上記構成により、次の効果を発揮する。
【００１３】
請求項１では、本体部と本体部より前方に延びる握り部とからなる操作ハンドルを左右に操作することより吐水温度を調整できる水栓ハンドル装置において、操作ハンドルの操作方向を表示する視覚表示部と、握り部の先端下面に操作ハンドルの操作方向を表示する触覚表示部とを設けたため、汚れ及び埃などが落下し難い操作ハンドル下面に面したことによって、清掃性を向上させ且つ視覚だけでなく、触覚でもハンドルの操作方向を把握できる。
【００１４】
請求項２では、触覚表示部を、操作ハンドルの左右中心線に対して右側部分又は左側部分の一方に凹陥する窪み又は突起部を有する形状とさせる一方、他方の部分には、形状又は個数の異なった凹陥する窪み又は突起部を有する形状または平坦面とされているため、凹陥する窪み又は突起部を汚れ及び埃などが落下し難い操作ハンドル下面に面したことによって、清掃性を向上させ且つ視覚だけでなく、触覚でもハンドルの操作方向を把握できる。
【図面の簡単な説明】
【図１】本発明の第一実施例を示す水栓ハンドル装置の斜視図である。
【図２】本発明の第一実施例を示す操作ハンドルの下方斜視図である。
【符号の説明】
２…水栓ハンドル装置
５…操作ハンドル
８…視覚表示部
１１…右側部
１２、１４…凸部
１３…左側部
１５…触覚表示部
１６…水用触覚表示部
１７…湯側触覚表示部
【図１】
0003747688.tif 000002
【図２】
0003747688.tif 000003
(57)【特許請求の範囲】
【請求項１】
天井と、この天井の下方に配置された第２天井とを備えたエレベータかごにおいて、
前記天井には非常救出口とこの非常救出口を覆う救出口カバーが設けられ、前記第２天井の前記救出口カバーの下方には着脱可能な救出口パネルが設けられ、前記救出口カバーの閉鎖時には前記救出口パネルの浮き上がりを防止し、前記救出口カバーの開放時には前記救出口パネルを着脱自在にする脱落防止手段を前記救出口カバーの前記救出口パネル側に前記救出口パネルに対向するように設けたことを特徴とするエレベータかごの天井装置。
【請求項２】
前記脱落防止手段は、前記救出口パネルに対向する側に弾性体を備えていることを特徴とする請求項１に記載のエレベータかごの天井装置。
【発明の詳細な説明】
【０００１】
【発明の属する技術分野】
本発明は、エレベータかごの天井装置、特に天井の下方に第２天井を有するエレベータかごの天井装置に関するものである。
【０００２】
【従来の技術】
従来のこの種の天井装置を図３〜図６により説明する。図３はかご内から天井を見上げた図、図４は図３のＡ−Ａ断面図、図５は図４の部分詳細図、図６は動作説明図である。
【０００３】
図において、１はエレベータかごの天井、２は天井１に空けられた非常救出口３を覆う救出口カバー、４はかごの側壁である。１０は天井１の下方に設けられた第２天井で、中央部１１が凹んだ断面略ハット型をしている。中央部１１は遮光性のパネルからなり、非常救出口３に対応する位置には取り外し自在の救出口パネル１２が配置されている。１３は救出口パネル１２を第２天井１０の側方部１４に固定する蝶ボルトであり、側方部１４に固定されたナット１５に螺合される。１６は側方部１４に配置された透光部、１７は側方部１４内に設けられた照明灯である。
【０００４】
通常の状態では図４，図５に示すように、救出口パネル１２は蝶ボルト１３によって側方部１４に固定されている。
かごが非常停止して天井からかご内の乗客を救出する必要が生じた場合、まず救出作業員は天井１に上がり、救出口カバー２を開く。次に、蝶ボルト１３を回して外し、図６矢印で示すように救出口パネル１２を取り外して救出口３を開放し、乗客の救出作業を行う。そして、作業終了後には上記と逆に、救出口パネル１２を蝶ボルト１３で側方部１４に固定し、救出口カバー２を閉じる。
【０００５】
【発明が解決しようとする課題】
上記従来の天井装置は、蝶ボルト１３で側方部１４に救出口パネル１２を固定しているため、急いでいる救出作業時においては、蝶ボルト１３の取り外しに手間取るだけでなく、蝶ボルト１３を紛失する虞もある。また救出口パネル１２への穴加工、側方部１４へのナット１５の取り付け加工が必要という製作上の問題もある。
更に作業終了時に蝶ボルト１３を締め忘れる可能性もある。この場合には乗客が長尺物をかご内に持ち込んだときに誤って救出口パネル１２を突き上げたり、又はいたずら等によって救出口パネル１２を突き上げたりすることにより、救出口パネル１２が浮き上がり、外れてしまう虞がある。
【０００６】
【課題を解決するための手段】
本発明は、救出口カバーの下方に救出口パネルの脱落を防止する手段を設けることにより、蝶ボルトのような特別な締結手段を使用しなくても、救出口パネルの脱落を防止できるようにしたものである。
【０００７】
【発明の実施の形態】
本発明の実施の形態を図１，図２により説明する。図１は図４に相当する図、図２は図１の部分詳細図であり、図４，図５と同一符号は同一のものを示している。
【０００８】
本実施形態は救出口カバー１２の下方に、ブラケット２０及びこのブラケット２０の先端に固定した弾性体２１からなる脱落防止手段２２を取り付けたものである。
【０００９】
したがって、本実施形態であれば、救出口カバー２が閉じている通常の状態においては、脱落防止手段２２により救出口パネル１２の浮き上がり及び浮き上がりによる脱落を防止できる。そして救出作業時には救出口カバー２を開けるのみで救出口パネル１２を容易に取り外すことができる。また、救出作業終了時には救出口パネル１２を側方部１４に載せて、救出口カバー２を閉じるのみでよい。
【００１０】
上記のように本実施形態によれば、救出口カバー２を開閉するのみで、救出口パネル１２に対する脱落防止手段２２の着脱が自動的に行えるため、蝶ボルト１３のような締結具を必要としない。したがって、従来のように救出口パネル１２への穴加工や側方部１４へのナット１５の取り付け加工が不要になるとともに、救出作業もスムーズに行うことができる。
【００１１】
上記実施形態では、弾性体２１と救出口パネル１２との間に若干の隙間があいているが、弾性体２１が十分に柔らかい場合には救出口パネル１２と接触していてもよい。また弾性体２１を省略することもできる。弾性体２１としては一般にゴムのようなものがあるが、ばねを使用することもできる。例えば、板ばねやコイルばね等をブラケット２０の下端又は救出口カバー２に取り付けることができる。この場合救出口パネル１２との隙間は設けても設けなくてもよい。
【００１２】
また救出口パネル１２は遮光性のパネルに限ることはなく、透光部を備えているパネルであってもよい。この場合、影が映らないように脱落防止手段２２は遮光部にくるように配置する。また脱落防止手段２２が図５の蝶ボルト１３の位置に来るように設けてもよい。
【００１３】
【発明の効果】
以上説明したように、本発明によれば、救出口カバーの下方に脱落防止手段を取り付けたため、救出口カバーを開閉するのみで、救出口パネルに対する脱落防止手段の着脱が自動的に行えるため、救出作業をスムーズに行うことができる。
【図面の簡単な説明】
【図１】本発明の実施の形態を示すかご天井部概略断面図である。
【図２】図１の部分詳細図である。
【図３】従来のかご内から天井を見上げた図である。
【図４】図３のＡ−Ａ断面図である。
【図５】図４の部分詳細図である。
【図６】従来の救出作業中の動作説明図である。
【符号の説明】
１  天井
２  救出口カバー
３  非常救出口
１０  第２天井
１２  救出口パネル
２０  ブラケット
２２  脱落防止手段
【図１】
0003747659.tif 000002
【図２】
0003747659.tif 000003
【図３】
0003747659.tif 000004
【図４】
0003747659.tif 000005
【図５】
0003747659.tif 000006
【図６】
0003747659.tif 000007
(57)【特許請求の範囲】
【請求項１】
澱粉３０−６０重量部、ホルムアミド１０−３０重量部及び多価アルコール１０−３０重量部を有することを特徴とする練り餌。
【請求項２】
多価アルコールがグリセリンである請求項１記載の練り餌。
【請求項３】
添加物として、増量剤である魚粉１−２部、サナギ粉０．５−１部、オキアミ乾燥粉末１０−１５部、着色剤である酸化第二鉄（弁柄）０．１部、粘度調整剤であるグルテン４−５部を加えた請求項１又は２記載の練り餌。
【請求項４】
澱粉３０−６０重量部にホルムアミド１０−３０重量部を加え、前記澱粉を溶解した後、多価アルコール１０−３０重量部を混合、撹拌することを特徴とする練り餌の製法。
【請求項５】
多価アルコールがグリセリンである請求項４記載の方法。
【請求項６】
添加物として、増量剤である魚粉１−２部、サナギ粉０．５−１部、オキアミ乾燥粉末１０−１５部、着色剤である酸化第二鉄（弁柄）０．１部、粘度調整剤であるグルテン４−５部を加えた請求項４又は５記載の方法。
【発明の詳細な説明】
【０００１】
【発明の属する技術分野】
本発明は魚釣りで使用する練り餌及びその製法に関する。
【０００２】
【従来の技術】
従来の練り餌は、うどん粉やマッシュポテトをベースに各種添加物（魚粉、オキアミ乾燥粉末など）及び水を加えて適当な柔らかさに練り上げて作成するのが普通である。
【０００３】
【発明が解決しようとする課題】
しかしながら、従来の練り餌は、常温保存が困難であり、冷蔵庫での保存が必須である。これを避けようとすれば防腐剤を使用しなければならず、そのことにより食性を落とすことになる。また、針に取り付けたとき、一定時間が経過すると全体的に型くずれを起こし、針からとれてしまうという欠点がある。
【０００４】
本発明は、このような実情に鑑み、常温保存が可能で、針持のよい練り餌及びその製法を提供しようとするものである。
【０００５】
【課題を解決するための手段】
上記目的を達成する本発明の練り餌は、少なくとも澱粉３０−６０重量部、ホルムアミド（ＨＣＯＮＨ2）１０−２０重量部及び多価アルコール１０−３０重量部を有することを特徴とする練り餌である。
【０００６】
（削除）
【０００７】
本願発明の練り餌の製法によれば、ホルムアミド１０−３０重量部を併用する。すなわち、澱粉３０−６０重量部にホルムアミド１０−３０重量部を加え、前記澱粉を溶解した後、多価アルコール１０−３０重量部を混合、撹拌することを特徴とする。
【０００８】
【発明の実施の形態】
本発明に使用する澱粉としては、タピオカ澱粉、トウモロコシ澱粉、ワラビ澱粉、クズ澱粉、馬鈴薯澱粉、小麦澱粉、キャッサバ澱粉、サゴ澱粉、モロコシ澱粉、豆澱粉、ハス澱粉、ヒシ澱粉、甘藷澱粉等があげられる。
【０００９】
本発明に係る練り餌中の澱粉の配合量は、３０〜６０部であり、さらに好ましくは３５〜５０部である。澱粉配合量がこの範囲にあるとき、魚の食性が最もよくなる。
【００１０】
本発明に使用する多価アルコールとしては、炭素数２〜４のアルキレングリコール、グリセリン、ポリエチレングリコール、ポリプロピレングリコール、ポリグリセリン、ソルビタン等が挙げられる。具体例としてはグリセリン、エチレングリコール、プロピレングリコール、ブチレングリコール、ポリエチレングリコール、ソルビタン等が挙げられ、中でもグリセリンが好ましい。
【００１１】
グリセリンとしては石鹸の中から約５ｗｔ％塩析法で分離した物およびプロピレンを原料とする合成グリセリンやアセトアルデヒドから過酢酸を経由して得る合成グリセリンがあり、食品添加物品、日本薬局方品、化粧品原料基準品の何れも利用できる。
【００１２】
本発明に使用するホルムアミドは、例えばアンモニアと一酸化炭素とを触媒を用いて高圧下で合成して粗ホルムアミドを得、これを精製することにより得られる。
【００１３】
本発明に係る練り餌中の多価アルコール及び／又はホルムアミドの配合量は、１０〜３０部であり、さらに好ましくは１５〜２５部である。多価アルコール又はホルムアミド配合量がこの範囲にあるとき、練り餌の硬さ、保湿度、保存性が最もよくなる。
【００１４】
本発明に係る練り餌には、必要に応じて、添加物として、充填剤、粘度調整剤、離型剤、増量剤、着色剤、顔料、酸化防止剤、保存料（食品防腐剤）を添加できる。
【００１５】
増量剤としては、例えば天然餌成分である魚粉１−２部、サナギ粉０．５−１部、オキアミ乾燥粉末１０−１５部を加えることができる。着色剤としては、例えば酸化第二鉄（弁柄）０．１部を加えることができる。粘度調整剤としては、例えばグルテン４−５部を加えることができる。この際、添加剤は食品添加剤より選定し、環境に対する二次汚染を考慮に入れなければならない。
【００１６】
【実施例】
以下に本発明を実施例によって説明するが、本発明はこれに限定されるものではない。
【００１７】
参考例１
タピオカ澱粉２０重量部及びグリセリン８０重量部を混合、撹拌し、２−５分加熱して糊液とした。この糊液１８重量部に対して、タピオカ澱粉４０重量部、魚粉１．５重量部、サナギ粉０．７５重量部、オキアミ乾燥粉末１２重量部、酸化第二鉄（弁柄）０．１重量部を加え、混合、撹拌し、赤色ゴム状の練り餌を得た。
【００１８】
この練り餌は常温保存が可能であり、数ヶ月放置しても柔軟さを失わなかった。さらに、針につけたとき、ほとんど型くずれせず、表面から霧のように徐々に溶けた。釣果も従来品と比べて遜色がなかった。
【００１９】
実施例１
タピオカ澱粉４０重量部に対して、ホルムアミド１８重量部、グリセリン２４重量部、魚粉１．５重量部、サナギ粉０．７５重量部、オキアミ乾燥粉末１２重量部、酸化第二鉄（弁柄）０．１重量部を加え、混合、撹拌し、赤色ゴム状の練り餌を得た。
【００２０】
この練り餌は常温保存が可能であり、数ヶ月放置しても柔軟さを失わなかった。さらに、針につけたとき、ほとんど型くずれせず、表面から霧のように徐々に溶けた。釣果も従来品と比べて遜色がなかった。
【００２１】
【発明の効果】
本発明の練り餌は、従来の練り餌と比べて、次の効果が得られた。
（１）針持がよく、水中でも型くずれしにくい。
（２）乾燥しにくく、保湿性が長続きする。
（３）常温で保存しても腐敗しにくい。
(57)【特許請求の範囲】
【請求項１】
カーポート、その他屋根付きの車庫の天井に対し、幅方向及び長手方向にそれぞれ一定間隔で突設される計４個のフックに直接、ネット中央部を引掛けて吊り下げられ、車を覆うことができるようにしたことを特徴とする車用防護ネット。
【請求項２】
上記防護ネットの裾に車体に吸着する吸着盤や磁石等よりなる吸着手段を設けたことを特徴とする請求項１記載の車用防護ネット。
【発明の詳細な説明】
【０００１】
【発明が属する技術分野】
本発明は、カーポート、その他屋根付きの車庫において、車の上を猫が歩いたり寝そべったりし、或いは小鳥が止まるのを防止する目的で用いられる防護ネットに関する。
【０００２】
【従来技術】
青空駐車では車が雨風に曝されるのを防止するため車カバーが取付けられることがあるが、カーポート、その他屋根付きの車庫では車は通常、車カバーを取付けることなく、そのまゝ入庫されている。
【０００３】
【発明が解決しようとする課題】
カーポートその他屋根付きの車庫で、人の出入りが自由な開放型の車庫では、車の上に猫が飛び乗って歩いたり、寝そべったりして汚れることがある。ことに降雨時、ボンネットや屋根の上に猫の足跡がついて汚れ易い。車の上にはまた小鳥が止まり、小鳥の糞で車体が汚れたり錆着いたりする糞公害を生ずることもある。
【０００４】
上記の問題に対処するため、車カバーを被せるのは次のような問題がある。すなわち、車カバーを一々取付けたり取り外したりするのは手間がかゝり面倒であるうえ、車カバーの上を猫が歩いたり、小鳥が止まることにより車カバー自体が汚れるようになる。本発明は、上記の問題を解消することを目的としてなされたもので、車の上を猫が歩いたり、寝そべったりし、或いは小鳥が止まるのを防止することができる防護ネットを提供しようとするものである。
【０００５】
【課題の解決手段】
本発明の防護ネットはそのため、カーポート、その他屋根付きの車庫の天井に吊り下げられ、車を覆うことができるようにしたネットよりなることを特徴とする。本発明によると、防護ネットは車庫の天井に吊り下げられた状態で車に被さっているため、猫が歩くことはできないし、小鳥が止まることもできない。
【０００６】
本発明の防護ネットによる場合、出庫時においては防護ネットの裾を払って車より外し、車の一側に避けたのちに出庫されるが、防護ネットを装着したまゝでも出庫することは可能である。入庫時においては、車庫内で停止後、天井より吊り下がる防護ネットの裾を持上げて広げ、車に被せる。
【０００７】
車に被せられた防護ネットは風が通り抜けるため、風に煽られることも少ないが、風に煽られても外れることなく確実に装着できるようにするために、防護ネットの裾に吸着盤、好ましくは磁石を取付け、車体に吸着して取付けられるようにするのが望ましい。したがって別の発明は、上記防護ネットの裾に車体に吸着する吸着盤や磁石等よりなる吸着手段を設けたことを特徴とする。
【０００８】
上記発明のネットは、樹脂製のネットが望ましい。軽量で車を傷付けず、ある程度強度があって、風雨に曝されても耐久性があるからである。ネットはまた猫が出入りできない程度の荒い目のものが望ましい。軽量化され、かつ風雨で煽られることが少なくなるからである。
【０００９】
【発明の実施の形態】
図１及び図２は、カーポート１の天井１ａに突設されるフック４に長方形をなすネット２の中央部を一定幅に渡って一定長さ引掛けることにより取付け、車３に被せたもので、裾には図示していないが磁石が取付けてあり、車体に吸着させるようになっている。
【００１０】
別の例ではカーポートの天井に環状のレールを取付けてレールに走行可能なランナーにネットを取付け、カーポートの天井にネットが開閉可能に支持される。
【００１１】
【発明の効果】
請求項１記載の発明によると、車庫の天井から吊りさげられる防護ネットが車に被さるため、猫が歩いたり、小鳥が止まったりするようなことがなく、こうしたことに起因する車の汚れを防止することができる。
【００１２】
請求項２記載の発明によると、防護ネットが風にあおられて車より外れるおそれがないうえ、防護ネットを弛みがなく張った状態にして被せることができ、猫が歩いたり小鳥が止まったりすることによる汚れを一層防ぐことができる。
【図面の簡単な説明】
【図１】車に防護ネットを取付けた状態を示す側面図。
【図２】同正面図。
【符号の説明】
１・・カーポート
１ａ・・天井
２・・ネット
３・・車
４・・フック
【図１】
0003747113.tif 000002
【図２】
0003747113.tif 000003